(57)【特許請求の範囲】
【請求項１】
複数の送信チャネルが出力する複数のチャネル送信データを、前記複数の送信チャネルのそれぞれに対応する合成係数に基づいて合成した合成拡散信号を生成する合成部と、受信信号を拡散符号系列により逆拡散した受信データを出力する逆拡散器とを備える送受信機であって、
前記合成部および前記逆拡散器は、複数の第１レジスタと、複数の第２レジスタと、複数の乗算器と、加算器とを含む同一の構成の合成拡散信号発生回路を有し、
前記複数の第１レジスタは、前記複数のチャネル送信データに対しては、それぞれが前記複数の送信チャネルのいずれかに対応し、当該対応する送信チャネルが出力する前記チャネル送信データを記憶し、前記受信信号に対しては、前記受信信号を受け取り、後段の第１レジスタにシフトしながら一時記憶すると共に、前記乗算器に出力し、
前記複数の第２レジスタは、前記複数のチャネル送信データに対しては、それぞれが前記複数の第１レジスタのいずれかに対応し、当該対応する第１レジスタが記憶する前記チャネル送信データに対応する合成係数を記憶し、前記受信信号に対しては、それぞれが、前記受信信号に対応する前記拡散符号系列を受け取り一時記憶し、
前記複数の乗算器は、前記複数のチャネル送信データに対しては、それぞれが前記複数の第１レジスタのいずれかに対応し、当該対応する第１レジスタが記憶する前記チャネル送信データと、当該第１レジスタに対応する前記第２レジスタが記憶する前記合成係数とを乗算し、前記受信信号に対しては、それぞれが、対応する前記第１レジスタが記憶する前記受信信号と対応する前記第２レジスタが記憶する前記拡散符号系列とを乗算し、
前記加算器は、前記複数のチャネル送信データに対しては、前記複数の乗算器のそれぞれが出力する当該乗算の結果を加算して前記合成拡散信号を生成し、前記受信信号に対しては、前記複数の乗算器のそれぞれが出力する当該乗算の結果を加算して中間信号を生成し、
前記逆拡散器は、
前記中間信号を累加算して前記受信データを生成する累加算器を更に有する
ことを特徴とする送受信機。
【請求項２】
前記合成部が有する前記合成拡散信号発生回路の前記複数の第１レジスタのそれぞれは、対応する前記送信チャネルが送信シンボルを当該送信チャネルに対応する第１の拡散符号系列により拡散した信号を、前記チャネル送信データとして記憶し、
前記合成部が有する前記合成拡散信号発生回路の前記複数の第２レジスタのそれぞれは、対応する前記第１レジスタが記憶する前記チャネル送信データに対応する送信電力ゲインを前記合成係数として記憶し、
前記合成部は、
前記合成拡散信号を第２の拡散符号系列により拡散したスクランブリング拡散信号を出力する第２乗算器を更に有することを特徴とする請求項１に記載の送受信機。
【請求項３】
前記合成部が有する前記合成拡散信号発生回路は、一の前記送信チャネルに対応する複数の前記第１レジスタを有し、
前記合成部が有する前記合成拡散信号発生回路の前記第２レジスタは、対応する前記第１レジスタが記憶する前記チャネル送信データに対応する送信電力ゲインを分割した値を前記合成係数として受け取ることを特徴とする請求項１に記載の送受信機。
【発明の詳細な説明】
【０００１】
【発明の属する技術分野】
本発明は、送受信機に関する。特に本発明は、スペクトラム拡散通信方式における送受信機に関する。
【０００２】
【従来の技術】
Ｗ−ＣＤＭＡ移動通信方式における基地局は、複数の送信チャネルが出力する信号を合成する合成部を備える。それぞれの送信チャネルは、送信データシンボルを拡散符号系列により拡散してチャネル送信データを生成する。送信チャネルは、拡散符号系列として、チャネライゼーションコードとスクランブリングコードの排他的論理和を制御部から受け取る。
【０００３】
送信チャネルは、送信シンボルデータとして送信データＩ相成分ＳＹＭｉ及び送信データＱ相成分ＳＹＭｑを受け取り、拡散符号系列として拡散符号系列Ｉ相成分Ｃｉ及び拡散符号系列Ｃｑを受け取る。この場合、送信チャネルはチャネル送信データＣＳとして、
ＣＳ＝（ＳＹＭｉ＋ｊ×ＳＹＭｑ）×（Ｃｉ＋ｊ×Ｃｑ）
＝（ＳＹＭｉ×Ｃｉ−ＳＹＭｑ×Ｃｑ）
＋ｊ×（ＳＹＭｉ×Ｃｑ＋ＳＹＭｑ×Ｃｉ）
（ｊは虚数単位である）を出力する。送信チャネルは、チャネル送信データＣＳを、チャネル送信データＩ相成分ＣＳｉ及びチャネル送信データＱ相成分ＣＳｑとして出力する。送信チャネルは、チャネル送信データＩ相成分ＣＳｉ及びチャネル送信データＱ相成分ＣＳｑとして、それぞれ
ＣＳｉ＝ＳＹＭｉ×Ｃｉ−ＳＹＭｑ×Ｃｑ
ＣＳｑ＝ＳＹＭｉ×Ｃｑ＋ＳＹＭｑ×Ｃｉ
を出力する。
【０００４】
合成部は、それぞれの送信チャネルが出力するチャネル送信データＣＳにそれぞれのチャネル送信チャネルに対応する送信電力ゲインＧＳを乗じた値を加算して当該合成された信号を生成する。合成部は、チャネル送信データＩ相成分ＣＳｉ及びチャネル送信データＱ相成分ＣＳｑにそれぞれ送信電力ゲインＧＳを乗じた積をそれぞれ加算する。
【０００５】
また、基地局は、受信信号に対し拡散符号同期を行うマッチドフィルタを更に備える。従来は、合成部と、マッチドフィルタとをそれぞれ個別に設計し、動作の検証を行っていた。
【０００６】
【発明が解決しようとする課題】
しかし、基地局が備える多くの回路モジュールをそれぞれ個別に設計し、動作の検証を行うことは設計工数を増大させる。そのため、従来は、開発期間の短縮は困難であった。
【０００７】
そこで、本発明は、上記の課題を解決することのできる送受信機を提供することを目的とする。この目的は特許請求の範囲における独立項に記載の特徴の組み合わせにより達成される。また従属項は本発明の更なる有利な具体例を規定する。
【０００８】
【課題を解決するための手段】
即ち、本発明の第１の形態によると、複数の送信チャネルが出力する複数のチャネル送信データを、前記複数の送信チャネルのそれぞれに対応する合成係数に基づいて合成した合成拡散信号を生成する合成部と、受信信号を拡散符号系列により逆拡散した受信データを出力する逆拡散器とを備える送受信機であって、前記合成部および前記逆拡散器は、複数の第１レジスタと、複数の第２レジスタと、複数の乗算器と、加算器とを含む同一の構成の合成拡散信号発生回路を有し、前記複数の第１レジスタは、前記複数のチャネル送信データに対しては、それぞれが前記複数の送信チャネルのいずれかに対応し、当該対応する送信チャネルが出力する前記チャネル送信データを記憶し、前記受信信号に対しては、前記受信信号を受け取り、後段の第１レジスタにシフトしながら一時記憶すると共に、前記乗算器に出力し、前記複数の第２レジスタは、前記複数のチャネル送信データに対しては、それぞれが前記複数の第１レジスタのいずれかに対応し、当該対応する第１レジスタが記憶する前記チャネル送信データに対応する合成係数を記憶し、前記受信信号に対しては、それぞれが、前記受信信号に対応する前記拡散符号系列を受け取り一時記憶し、前記複数の乗算器は、前記複数のチャネル送信データに対しては、それぞれが前記複数の第１レジスタのいずれかに対応し、当該対応する第１レジスタが記憶する前記チャネル送信データと、当該第１レジスタに対応する前記第２レジスタが記憶する前記合成係数とを乗算し、前記受信信号に対しては、それぞれが、対応する前記第１レジスタが記憶する前記受信信号と対応する前記第２レジスタが記憶する前記拡散符号系列とを乗算し、前記加算器は、前記複数のチャネル送信データに対しては、前記複数の乗算器のそれぞれが出力する当該乗算の結果を加算して前記合成拡散信号を生成し、前記受信信号に対しては、前記複数の乗算器のそれぞれが出力する当該乗算の結果を加算して中間信号を生成し、前記逆拡散器は、前記中間信号を累加算して前記受信データを生成する累加算器を更に有する。
【０００９】
合成部が有する合成拡散信号発生回路の複数の第１レジスタのそれぞれは、対応する送信チャネルが送信シンボルを当該送信チャネルに対応する第１の拡散符号系列により拡散した信号を、チャネル送信データとして記憶し、合成部が有する合成拡散信号発生回路の複数の第２レジスタのそれぞれは、対応する第１レジスタが記憶するチャネル送信データに対応する送信電力ゲインを合成係数として記憶し、合成部は、合成拡散信号を第２の拡散符号系列により拡散したスクランブリング拡散信号を出力する第２乗算器を更に有してよい。
【００１０】
合成部が有する合成拡散信号発生回路は、一の送信チャネルに対応する複数の第１レジスタを有し、合成部が有する合成拡散信号発生回路の第２レジスタは、対応する第１レジスタが記憶するチャネル送信データに対応する送信電力ゲインを分割した値を合成係数として受け取ってもよい。
【００１１】
なお、上記の発明の概要は、本発明の必要な特徴の全てを列挙したものではなくこれらの特徴群のサブコンビネーションも又発明となりうる。
【００１２】
【発明の実施の形態】
以下、発明の実施の形態を通じて本発明を説明するが、以下の実施形態はクレームにかかる発明を限定するものではなく、また実施形態の中で説明されている特徴の組み合わせの全てが発明の解決手段に必須であるとは限らない。
【００１３】
図１は、本発明の実施形態に係る基地局１００の一例を示す。基地局１００は、例えば複数の送信チャネルが出力するデータを合成したスクランブリング拡散信号ＳＳＤを変調して送信するスペクトラム拡散方式の送受信機である。基地局１００は、Ｗ−ＣＤＭＡ移動通信方式における基地局であってよい。基地局１００は、複数の送信チャネル（１１０−０〜１１０−７）と、合成拡散信号発生回路である合成部１１２と、送信部１０４と、受信部１０２と、制御部１０６と、アンテナ１０８とを備える。
【００１４】
複数の送信チャネル（１１０−０〜１１０−７）は、複数の送信シンボルデータ（ＳＹＭ０〜ＳＹＭ７）を拡散した信号を複数のチャネル送信データ（ＣＳ０〜ＣＳ７）として出力する。合成部１１２は、複数の送信チャネル（１１０−０〜１１０−７）が出力する複数のチャネル送信データ（ＣＳ０〜ＣＳ７）を合成したスクランブリング拡散信号ＳＳＤを出力する。送信部１０４はスクランブリング拡散信号ＳＳＤを変調してアンテナ１０８−２に供給する。受信部１０２は、アンテナ１０８−１から受け取る受信信号ＲＳを逆拡散した信号を受信データＲＳＤとして出力する。受信部１０２は、検波部２０２と、マッチドフィルタである逆拡散器２０６とを有する。検波部２０２は、アンテナ１０８−１から受け取った信号から搬送波成分を除いた受信信号ＲＳを出力する。本実施形態において、検波部２０２は、受信信号ＲＳを出力する。逆拡散器２０６は、受信信号ＲＳを拡散符号系列ＲＳＣにより逆拡散した受信データＲＳＤを出力する。制御部１０６は、基地局１００の制御を行う。制御部１０６は、受信データＲＳＤを受け取ってよい。制御部１０６は、複数の送信シンボルデータ（ＳＹＭ０〜ＳＹＭ７）を出力してよい。制御部１０６は、拡散符号系列ＲＳＣを出力してよい。
【００１５】
以下、送信チャネル１１０、逆拡散器２０６、及び合成部１１２について更に詳しく説明する。送信チャネル１１０−ｎ（ｎ＝０，１，２，…,７）は、送信シンボルデータＳＹＭｎを送信チャネル１１０−ｎに対応する第１の拡散符号系列ＣＣｎにより拡散した信号をチャネル送信データＣＳｎとして出力する。送信チャネル１１０−ｎは、第１の拡散符号系列ＣＣｎを制御部１０６から受け取ってよい。本実施形態において、送信チャネル１１０−ｎは、複素数値を示す送信シンボルデータＳＹＭｎ、及び複素数値を示す第１の拡散符号系列ＣＣｎを受け取る。送信チャネル１１０−ｎは、送信シンボルデータＳＹＭｎが示す複素数値と、第１の拡散符号系列ＣＣｎが示す複素数値との積を、チャネル送信データＣＳｎとして出力する乗算器３０２−ｎを有する。乗算器３０２−ｎは、当該積をチャネル送信データＩ相成分ＣＳｎi、及びチャネル送信データＱ相成分ＣＳｎｑとして出力してよい。
【００１６】
図２は、本実施形態に係る逆拡散器２０６の一例を示す。本実施形態において、逆拡散器２０６は、複数のデータレジスタ（９２−０〜９２−７）と、複数の拡散符号レジスタ（９４−０〜９４−７）と、複数の乗算器（９６−０〜９６−７）と、加算器９０と、中間レジスタ９８と、累加算器６８とを有する。
【００１７】
データレジスタ（９２−０〜９２−７）は、図1に関連して説明した検波部２０２が出力する受信信号ＲＳを受け取り、後段のデータレジスタにシフトしながら一時記憶すると共に、乗算器９６−ｎに出力する。複数のデータレジスタ（９２−０〜９２−７）は、受信信号ＲＳを、受信信号Ｉ相成分ＲＳi、及び受信信号Ｑ相成分ＲＳｑとして受け取り、複数の受信信号Ｉ相成分ＲＳi（ＲＳ０i〜ＲＳ７i）及び複数の受信信号Ｑ相成分ＲＳｑ（Ｒｓ０ｑ〜ＲＳ７ｑ）として出力する。データレジスタ９２−ｎは、受信信号Ｉ相成分ＲＳｎiを受け取るＩ相入力、及び受信信号Ｑ相成分ＲＳｎｑを受け取るＱ相入力を有してよい。データレジスタ９２−ｎは、受信信号Ｉ相成分ＲＳｎiを記憶する８ビットの記憶容量と、受信信号Ｑ相成分ＲＳｎｑを記憶する８ビットの記憶容量との合計である１６ビットの記憶容量を有してよい。
【００１８】
拡散符号レジスタ９４−ｎは、検波部２０２から受け取る受信信号ＲＳｎに対応する拡散符号系列である拡散符号系列Ｉ相成分ＲＳＣｎi、及び拡散符号系列Ｑ相成分ＲＳＣｎｑを受け取り一時記憶する。拡散符号レジスタ９４−ｎは、拡散符号系列Ｉ相成分ＲＳＣｎiを受け取るＩ相入力、及び拡散符号系列Ｑ相成分ＲＳＣｎｑを受け取るＱ相入力を有してよい。拡散符号レジスタ９４−ｎは、拡散符号系列Ｉ相成分ＲＳＣｎi及び拡散符号系列Ｑ相成分ＲＳＣｎｑとして、それぞれ値＋１又は値−１を受け取ってよい。拡散符号レジスタ９４−ｎは、値＋１及び値−１を1ビットの情報に対応付けて記憶してよい。拡散符号レジスタ９４−ｎは、拡散符号系列Ｉ相成分ＲＳＣｎiを記憶する１ビットの記憶容量と、受信信号Ｑ相成分ＲＳｎｑを記憶する１ビットの記憶容量との合計である２ビットの記憶容量を有してよい。
【００１９】
乗算器９６−ｎは、データレジスタ９２−ｎの記憶情報が示す複素数値と、拡散符号レジスタ９４−ｎの記憶情報が示す複素数値との積を乗算信号Ｉ相成分Ｓｎi、及び乗算信号Ｑ相成分Ｓｎｑとして出力する複素乗算器である。乗算器９６−ｎはデータレジスタ９２−ｎの記憶情報が示す複素数値として、受信信号Ｉ相成分ＲＳｎi、及び受信信号Ｑ相成分ＲＳｎｑが示す複素数値を受け取る。乗算器９６−ｎは、拡散符号レジスタ９４−ｎの記憶情報が示す複素数値として、拡散符号系列Ｉ相成分ＲＳＣｎi、及び、拡散符号系列Ｑ相成分ＲＳＣｎｑが示す複素数値を受け取る。
【００２０】
乗算器９６−ｎは、乗算信号Ｉ相成分Ｓｎi、及び乗算信号Ｑ相成分Ｓｎｑが表す複素数である乗算信号Ｓｎとして、
Ｓｎ＝（ＲＳｎi＋ｊ×ＲＳｎｑ）×（ＲＳＣｎi＋ｊ×ＲＳＣｎｑ）
＝（ＲＳｎi×ＲＳＣｎi−ＲＳｎｑ×ＲＳＣｎｑ）
＋ｊ×（ＲＳｎi×ＲＳＣｎｑ＋ＲＳｎｑ×ＲＳＣｎi）
（ｊは虚数単位である）を出力する。
【００２１】
すなわち、乗算器９６−ｎは、乗算信号Ｉ相成分Ｓｎi、及び乗算信号Ｑ相成分Ｓｎｑとして、それぞれ
【数１】
0004017881.tif 000002
【数２】
0004017881.tif 000003
を出力する。
【００２２】
加算器９０は、複数の乗算信号Ｉ相成分（Ｓ０i〜Ｓ７i）のそれぞれが示す値を加算して、中間信号Ｉ相成分ＲＣＳiとして出力する。加算器９０は、複数の乗算信号Ｑ相成分（Ｓ０ｑ〜Ｓ７ｑ）のそれぞれが示す値を加算して、中間信号Ｑ相成分ＲＣＳｑとして出力する。
【００２３】
すなわち、加算器９０は、中間信号Ｉ相成分ＲＣＳi、及び中間信号Ｑ相成分ＲＣＳｑとして、それぞれ
【数３】
0004017881.tif 000004
【数４】
0004017881.tif 000005
を出力する。
【００２４】
中間レジスタ９８は、中間信号Ｉ相成分ＲＣＳi、及び中間信号Ｑ相成分ＲＣＳｑを一時記憶するレジスタである。中間レジスタ９８は、例えば、中間信号Ｉ相成分ＲＳＣiを記憶する１６ビットの記憶容量と、中間信号Ｑ相成分ＲＳＣｑを記憶する１６ビットの記憶容量との合計である３２ビットの記憶容量を有してよい。
【００２５】
累加算器６８は、中間信号Ｉ相成分ＲＣＳi、及び中間信号Ｑ相成分ＲＳＣｑの値をそれぞれ累加算して、受信データＲＳＤを生成する。累加算器６８は、中間信号Ｉ相成分ＲＣＳi、及び中間信号Ｑ相成分ＲＳＣｑの値を、受信信号ＲＳの拡散率に基づく回数累加算する。
【００２６】
図３は、本実施形態に係る合成部１１２の一例を示す。合成部１１２は図1に関連して説明した複数の送信チャンネル（１１０−０〜１１０−７）が出力する複数のチャネル送信データ(ＣＳ０〜ＣＳ７)を、複数の送信チャンネル（１１０−０〜１１０−７）のそれぞれに対応する合成係数に基づいて合成したスクランブリング拡散信号ＳＳＤを生成する合成拡散信号発生回路である。
【００２７】
本実施形態において、合成部１１２は、複数の送信データレジスタ(８４−０〜８４−７)、複数の合成係数レジスタ（８２−０〜８２−７）、複数の乗算器(８４−０〜８４−７)、加算器６４、中間レジスタ６６及び第２乗算器４０２を有する。
【００２８】
複数の送信データレジスタ（８４−０〜８４−７）は、それぞれが複数の送信チャネル（１１０−０〜１１０−７）のいずれかに対応し、当該対応する送信チャネルが出力するチャネル送信データを記憶する。複数の送信データレジスタ（８４−０〜８４−７）のそれぞれは、対応する送信チャネルが送信シンボルを当該送信チャネルに対応する第１の拡散符号系列により拡散した信号を、チャネル送信データとして記憶してよい。
【００２９】
複数の合成係数レジスタ（８２−０〜８２−７）は、それぞれが複数の送信データレジスタ(８４−０〜８４−７)のいずれかに対応し、当該対応する送信データレジスタが記憶するチャネル送信データに対応する合成係数を記憶する。本実施形態において、複数の合成係数レジスタ（８２−０〜８２−７）のそれぞれは、対応する送信データレジスタが記憶するチャネル送信データに対応する送信電力ゲインを合成係数として記憶する。
【００３０】
複数の乗算器（８６−０〜８６−７）は、それぞれが複数の送信データレジスタ(８４−０〜８４−７)のいずれかに対応し、当該対応する送信データレジスタが記憶するチャネル送信データと、当該送信データレジスタに対応する合成係数レジスタが記憶する合成係数とを乗算する。加算器６４は、複数の乗算器（８６−０〜８６−７）のそれぞれが出力する当該乗算の結果を加算して合成拡散信号ＳＣＳを生成する。加算器６４は多入力加算器であってよい。
【００３１】
中間レジスタ６６は、合成拡散信号ＳＣＳを一時記憶する。第２乗算器４０２は、合成拡散信号ＳＣＳを第２の拡散符号系列である共通スクランブリングコードＳＳＣにより拡散したスクランブリング拡散信号ＳＳＤを出力する。第２乗算器４０２は、合成拡散信号ＳＣＳが示す値と、共通スクランブリングコードＳＳＣとの積をスクランブリング拡散信号ＳＳＤとして出力してよい。第２乗算器４０２は、複素乗算器であってよい。
【００３２】
以下、送信データレジスタ８４−ｎ、合成係数レジスタ８２−ｎ、乗算器８６−ｎ、加算器６４、及び中間レジスタ６６について更に詳しく説明する。送信データレジスタ８４−ｎは、送信チャネル１１０−ｎが出力するチャネル送信データＣＳｎを受け取り、一時記憶する。本実施形態において、送信データレジスタ８４−ｎは、送信チャンネル１１０−ｎが送信シンボルデータＳＹＭｎを送信チャンネル１１０−ｎに対応する第1の拡散符号系列ＣＣｎにより拡散した信号を、チャネル送信データＣＳｎとして受け取る。
【００３３】
送信データレジスタ８４−ｎは、チャネル送信データＣＳｎとして、チャネル送信データＩ相成分ＣＳｎi、及び、チャネル送信データＱ相成分ＣＳｎｑを受け取る。送信データレジスタ８４−ｎは、チャネル送信データＩ相成分ＣＳｎiを受け取るＩ相入力、及びチャネル送信データＱ相成分ＣＳｎｑを受け取るＱ相入力を有してよい。送信データレジスタ８４−ｎは、チャネル送信データＩ相成分ＣＳｎiを記憶する１ビットの記憶容量と、チャネル送信データＱ相成分ＣＳｎｑを記憶する１ビットの記憶容量との合計である２ビットの記憶容量を有してよい。
【００３４】
合成係数レジスタ８２−ｎは、送信チャネル１１０−ｎに対応する合成係数を受け取り、一時記憶する。本実施形態において、合成係数レジスタ８２−ｎは、送信チャネル１１０−ｎに対応する送信電力ゲインＧＳｎを合成係数として受け取る。合成係数レジスタ８２−ｎは、送信電力ゲインＧＳｎを図1に関連して説明した制御部１０６から受け取ってよい。合成係数レジスタ８２−ｎは、送信電力ゲインＧＳｎを受け取るＩ相入力、及び値０を受け取るＱ相入力を有してよい。合成係数レジスタ８２−ｎは、送信電力ゲインＧＳｎを記憶する８ビットの記憶容量と、値０を記憶する８ビットの記憶容量との合計である１６ビットの記憶容量を有してよい。
【００３５】
乗算器８６−ｎは、合成係数レジスタ８２−ｎの記憶情報が示す複素数値と、送信データレジスタ８４−ｎの記憶情報が示す複素数値の積を乗算信号Ｉ相成分Ｓｎi、及び乗算信号Ｑ相成分Ｓｎｑとして出力する複素乗算器である。乗算器８６−ｎは、合成係数レジスタ８２−ｎの記憶情報が示す複素数値として、送信電力ゲインＧＳｎをＩ相成分とし、値０をＱ相成分とする複素数値を受け取る。乗算器８６−ｎは、送信データレジスタ８４−ｎの記憶情報が示す複素数値として、送信データＩ相成分ＣＳｎi、及び、チャネル送信データＱ相成分ＣＳｎｑが示す複素数値を受け取る。
【００３６】
乗算器８６−ｎは、乗算信号Ｉ相成分Ｓｎi、及び乗算信号Ｑ相成分Ｓｎｑが表す複素数である乗算信号Ｓｎとして、
Ｓｎ＝（ＧＳｎ＋ｊ×０）×（ＣＳｎi＋ｊ×ＣＳｎｑ）
＝（ＧＳｎ×ＣＳｎi）＋ｊ×（ＧＳｎ×ＣＳｎｑ）
（ｊは虚数単位である）を出力する。
【００３７】
すなわち、乗算器９６−ｎは、乗算信号Ｉ相成分Ｓｎi、及び乗算信号Ｑ相成分Ｓｎｑとして、それぞれ
【数５】
0004017881.tif 000006
【数６】
0004017881.tif 000007
を出力する。[数５]及び[数６]は、[数１]及び[数2]におけるＲＳｎi及びＲＳｎｑをそれぞれＧＳｎ及び値０に変更し、ＲＳＣｎi及びＲＳＣｎｑをそれぞれＣＳｎi及びＣＳｑｎに変更した式とそれぞれ同一である。
【００３８】
加算器６４は、複数の乗算信号Ｉ相成分（Ｓ１i〜Ｓ８i）のそれぞれが示す値を加算して、合成拡散信号Ｉ相成分ＳＣＳiとして出力する。加算器６４は、複数の乗算信号Ｑ相成分（Ｓ１ｑ〜Ｓ８ｑ）のそれぞれが示す値を加算して、合成拡散信号Ｑ相成分ＳＣＳｑとして出力する。
【００３９】
すなわち、加算器６４は、合成拡散信号Ｉ相成分ＳＣＳi、及び合成拡散信号Ｑ相成分ＳＣＳｑとして、それぞれ
【数７】
0004017881.tif 000008
【数８】
0004017881.tif 000009
を出力する。
【００４０】
中間レジスタ６６は、合成拡散信号Ｉ相成分ＳＣＳi、及び合成拡散信号Ｑ相成分ＳＣＳｑを一時記憶するレジスタである。中間レジスタ６６は、例えば、合成拡散信号Ｉ相成分ＳＣＳiを記憶する１６ビットの記憶容量と、合成拡散信号Ｑ相成分ＳＣＳｑを記憶する１６ビットの記憶容量との合計である３２ビットの記憶容量を有してよい。
【００４１】
合成係数レジスタ８２−ｎ、送信データレジスタ８４−ｎ、乗算器８６−ｎ、加算器６４、及び中間レジスタ６６は、図２に関連して説明した、データレジスタ９２−ｎ、拡散符号レジスタ９４−ｎ、乗算器９６−ｎ、加算器９０、及び中間レジスタ９８とそれぞれ同一又は同様の機能を有する。すなわち、複数の合成係数レジスタ（８２−０〜８２−７）、複数の送信データレジスタ（８４−０〜８４−７）、複数の乗算器（８６−０〜８６−７）、加算器６４、及び中間レジスタ６６は、図２に関連して説明した、複数のデータレジスタ（９２−０〜９２−７）、複数の拡散符号レジスタ（９４−０〜９４−７）、複数の乗算器（９６−０〜９６−７）、加算器９０、及び中間レジスタ９８とそれぞれ同一又は同様の機能を有する。
【００４２】
本実施形態において、合成部１１２の、複数の合成係数レジスタ（８２−０〜８２−７）、複数の送信データレジスタ（８４−０〜８４−７）、複数の乗算器（８６−０〜８６−７）、加算器６４、及び中間レジスタ６６を含む部分の構成は、図２に関連して説明した逆拡散器２０６の、複数のデータレジスタ（９２−０〜９２−７）、複数の拡散符号レジスタ（９４−０〜９４−７）、複数の乗算器（９６−０〜９６−７）、加算器９０、及び中間レジスタ９８を含む部分の構成と同一である。すなわち、本実施形態によれば、合成拡散信号発生回路である合成部１１２、及び逆拡散器２０６において、同一の構成を用いることができるため、回路設計、又は動作検証に要する工数を削減することができ、開発期間の短縮ができる。また、本実施形態における一部、又は全部の構成部分を、ＣＰＵ、ＤＳＰ等のソフトウェアプログラムにより実現してもよい。
【００４３】
別の実施例では、合成係数レジスタは、合成係数Ｉ相成分を記憶する記憶容量として、送信電力ゲインＧＳを表すビット数より少ないビット数の記憶容量を有してよい。この場合、合成拡散信号発生回路は、一の送信チャネルに対応する複数の送信データレジスタを備える。合成係数レジスタは、対応する送信データレジスタが記憶するチャネル送信データに対応する送信電力ゲインを分割した値を合成係数として受け取る。
【００４４】
合成係数レジスタは、合成係数を制御部から受け取ってよい。一の送信電力ゲインに対応する複数の合成係数レジスタは、それぞれが受け取るの合成係数の和が、当該一の送信電力ゲインと等しくなる合成係数受け取るのが好ましい。
【００４５】
例えば、図３において、送信電力ゲインＧＳｎを表すビット数が９ビットである場合に、合成係数レジスタ８２−ｎは、合成係数Ｉ相成分を記憶する記憶容量として８ビットの記憶容量を有してもよい。制御部１０６は、送信チャネル１１０−ｋ（ｋ＝０，１，２，３）に対応する送信電力ゲインを第(２ｋ)の合成係数であるＧＳ（２ｋ）、及び第(２ｋ＋１)の合成係数であるＧＳ（２ｋ＋１）に分割し、それぞれを合成係数レジスタ８２−(２ｋ)、及び合成係数レジスタ８２−（２ｋ＋１）に供給してよい。制御部１０６は、それぞれの和が送信チャネル１１０−ｋに対応する送信電力ゲインと等しい値となるべく、合成係数ＧＳ（２ｋ）、及び合成係数ＧＳ（２Ｋ＋１）を出力するのが好ましい。送信チャネル１１０−ｋは、送信データレジスタ８４−(２ｋ)、及び送信データレジスタ８４−(２ｋ＋１)のそれぞれに、チャネル送信データＣＳｋを供給する。
【００４６】
図４は、本実施形態に係る合成部１１２の他の例を示す。合成部１１２は、複数の合成係数レジスタ（８２−０〜８２−７）、複数の送信データレジスタ（８４−０〜８４−７）、複数の乗算器（８６−０〜８６−７）、及び加算器６４を有する。合成係数レジスタ８２−ｎは、合成係数として送信電力ゲインＧＳｎと、複数の送信チャンネル（１１０−０〜１１０−７）に共通な複素数値である共通スクランブリングコードＳＳＣとの積を示すスクランブリング送信電力ゲインＩ相成分ＳＧＳｎi、及びスクランブリング送信電力ゲインＱ相成分ＳＧＳｎｑを受け取る。合成係数レジスタ８２−ｎは、合成係数として送信電力ゲインＧＳｎと共通スクランブリングコードＳＳＣとの排他的論理和を受け取ってよい。加算器６４は、複数の乗算器（８６−０〜８６−７）のそれぞれが出力する当該乗算の結果を加算して、スクランブリング拡散信号ＳＳＤを生成する。この場合においても、合成部１１２、及び逆拡散器２０６が、同一の構成を含む部分を有することにより、回路設計、又は動作検証に要する工数を削減することができ、開発期間の短縮ができる。
【００４７】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４８】
【発明の効果】
上記説明から明らかなように、本発明によれば基地局１００の回路設計、又は動作検証に要する工数を低減することができ、開発期間の短縮ができる。
【図面の簡単な説明】
【図１】本発明の一実施形態に係る基地局１００を示す。
【図２】本発明の一実施形態に係る逆拡散器２０６を示す。
【図３】本発明の一実施形態に係る合成部１１２を示す。
【図４】本発明の一実施形態に係る合成部１１２を示す。
【符号の説明】
１００・・・基地局、１０２・・・受信部、１０４・・・送信部、１０６・・・制御部、１０８・・・アンテナ、１１０・・・送信チャネル、１１２・・・合成部、２０２・・・検波部、２０６・・・逆拡散器、３０２・・・乗算器、８２・・・合成係数レジスタ、８４・・・送信データレジスタ、８６・・・乗算器、６４・・・加算器、６６・・・中間レジスタ、４０２・・・第２乗算器、９２・・・データレジスタ、９４・・・拡散符号レジスタ、９６・・・乗算器、９０・・・加算器、９８・・・中間レジスタ、６８・・・累加算器、
【図１】
0004017881.tif 000010
【図２】
0004017881.tif 000011
【図３】
0004017881.tif 000012
【図４】
0004017881.tif 000013